(57)【特許請求の範囲】
【請求項１】
光源部と、該光源部から射出された光の光量均一化を図る、該光源部の光軸方向に配列された少なくとも２枚のインテグレータ板よりなるインテグレータ部と、入射光を映像情報に応じて変調する映像表示手段と前記インテグレータ部との間に配されたフィールドレンズと、を備え、前記映像表示手段を照明する照明光学系において、
前記光源部、前記インテグレータ部、および前記フィールドレンズの各光軸は、前記映像表示手段の長辺または短辺と平行な軸を回転軸として傾けるように設定され、かつ前記第１インテグレータ板の各素子の形状は、前記映像表示手段の有効領域と相似な形状に対して、その短辺または長辺の延びる方向に所定量だけ扁平とした形状とされてなることを特徴とする照明光学系。
【請求項２】
光源部と、該光源部から射出された光の光量均一化を図る、該光源部の光軸方向に配列された少なくとも２枚のインテグレータ板よりなるインテグレータ部と、入射光を映像情報に応じて変調する映像表示手段と前記インテグレータ部との間に配されたフィールドレンズと、を備え、前記映像表示手段を照明する照明光学系において、
前記光源部、前記インテグレータ部、および前記フィールドレンズの各光軸は、前記映像表示手段の長辺と平行な軸および短辺と平行な軸をそれぞれ回転軸として傾けるように設定され、かつ前記第１インテグレータ板の各素子の形状は、前記映像表示手段の有効領域と相似な形状に対して、その短辺および長辺の延びる各々の方向への傾き角に応じた平行四辺形の形状とされてなることを特徴とする照明光学系。
【請求項３】
前記インテグレータ部を構成する少なくとも２枚のインテグレータ板が互いに同一の形状およびサイズとされていることを特徴とする請求項１または２記載の照明光学系。
【請求項４】
前記映像表示手段が液晶表示パネルであることを特徴とする請求項１〜３のうちいずれか１項記載の照明光学系。
【請求項５】
前記映像表示手段が微小鏡面素子パネルであることを特徴とする請求項１〜３のうちいずれか１項記載の照明光学系。
【請求項６】
請求項１から５のうちいずれか１項記載の照明光学系を用いたプロジェクタ装置であって、該照明光学系から射出され、前記映像表示手段を透過した光束を投影レンズによってスクリーン上に拡大投射するように構成されてなることを特徴とするプロジェクタ装置。
【請求項７】
白色光を射出する光源部と、該白色光の光量均一化を図る、該光源部の光軸方向に配列された少なくとも２枚のインテグレータ板よりなるインテグレータ部と、該白色光を青、緑、赤の各色光に分解する色分解光学部を介して、該色光を映像情報に応じて変調する、各色光に対応して設けられた３つの映像表示手段と前記インテグレータ部との間に配されたフィールドレンズと、を備え、前記３つの映像表示手段を照明する照明光学系において、
前記光源部、前記インテグレータ部、および前記フィールドレンズの各光軸は、前記各映像表示手段の長辺または短辺と平行な軸を回転軸として傾けるように設定され、かつ前記第１インテグレータ板の各素子の形状は、前記各映像表示手段の有効領域と相似な形状に対して、その短辺または長辺の延びる方向に所定量だけ扁平とした形状とされてなることを特徴とする照明光学系。
【請求項８】
白色光を射出する光源部と、該白色光の光量均一化を図る、該光源部の光軸方向に配列された少なくとも２枚のインテグレータ板よりなるインテグレータ部と、該白色光を青、緑、赤の各色光に分解する色分解光学部を介して、該色光を映像情報に応じて変調する、各色光に対応して設けられた３つの映像表示手段と前記インテグレータ部との間に配されたフィールドレンズと、を備え、前記３つの映像表示手段を照明する照明光学系において、
前記光源部、前記インテグレータ部、および前記フィールドレンズの各光軸は、前記映像表示手段の長辺と平行な軸および短辺と平行な軸をそれぞれ回転軸として傾けるように設定され、かつ前記第１インテグレータ板の各素子の形状は、前記各映像表示手段の有効領域と相似な形状に対して、その短辺および長辺の延びる各々の方向への傾き角に応じた平行四辺形の形状とされてなることを特徴とする照明光学系。
【請求項９】
前記インテグレータ部を構成する少なくとも２枚のインテグレータ板が互いに同一の形状およびサイズとされていることを特徴とする請求項７または８記載の照明光学系。
【請求項１０】
前記各映像表示手段が液晶表示パネルであることを特徴とする請求項７〜９のうちいずれか１項記載の照明光学系。
【請求項１１】
前記各映像表示手段が微小鏡面素子パネルであることを特徴とする請求項７〜１０までのうちいずれか１項記載の照明光学系。
【請求項１２】
請求項７から１１のうちいずれか１項記載の照明光学系を用いたプロジェクタ装置であって、該照明光学系から射出された各色光を合成し、投影レンズによってスクリーン上に拡大投射するように構成されてなることを特徴とするプロジェクタ装置。
【発明の詳細な説明】
【０００１】
【発明の属する技術分野】
本発明は、液晶表示パネルや微小鏡面素子パネルなどの映像表示手段に表示された映像をスクリーン上に拡大投影する照明光学系およびこれを用いたプロジェクタ装置に関し、詳しくは、該映像表示手段を照明する光の照明均一化を図るためのインテグレータ部と該映像表示手段との相対位置関係およびそれらの構造の改良に関するものである。
【０００２】
【従来の技術】
液晶プロジェクタの照明光学系において、液晶表示パネル上での照明ムラを解消するためにインテグレータを利用した光学系を用いる技術が従来から知られている。
【０００３】
すなわち、このような照明光学系はリフレクタを用いた光源部の後段に、第１インテグレータ板（一般には第２フライアイ等と称する）、第２インテグレータ板（一般には第１フライアイ等と称する）およびフィールドレンズをこの順に配置してなる。第１インテグレータ板は、液晶表示パネルと略相似形状とされた複数のレンズ素子を二次元的に配列して構成されており、また、光源部から射出される明るさムラの大きな光束を、第１インテグレータ板のレンズ素子の数と同数の部分光束に分割する。分割後の部分光束の明るさムラは、分割前の光束に比較して小さい。この各部分光束は、第２インテグレータ板とフィールドレンズにより各々被照明領域方向に射出され、被照明領域上で互いに重畳することになるので、明るさムラの小さな照明を実現することができる。
【０００４】
【発明が解決しようとする課題】
ところで、このインテグレータを利用した光学系では、インテグレータ自体や光路上に配設されるミラー、レンズなどの製造誤差による影響を吸収できるような大きさの照明領域を確保する設計とすることが望ましいものの、基本的には該照明領域の形状を上述した液晶表示パネルよりも若干大きくする程度にとどめ、照明効率の低下を最小限にとどめるようにすることが肝要である。
【０００５】
一方、液晶プロジェクタに用いられる投影レンズは、液晶表示パネルに対し、その光軸と垂直な方向にシフトして使用することが多いため、液晶側がテレセントリックな系となるように設計されることが一般的であり、また、それに関連して、インテグレータを用いた照明光学系も、光束が液晶表示パネルを透過した後テレセントリックとなるような系に設計することが一般的であるが、このようにテレセントリックな系とした場合には、上記投影レンズとして多くのレンズ枚数を要したり、各レンズの径が大きくなってしまうなどの問題があり、装置の大型化やコストアップを招いてしまう。
【０００６】
そこで、液晶プロジェクタで使用しているインテグレータを用いた現行の照明光学系を、単純に液晶表示パネルに対し全体を傾けて配置し、液晶表示パネルから射出される光束を、その法線方向に対し所定の角度をなすようにし、いわゆる非テレセントリックな系を構成することが考えられる。
【０００７】
しかしながら、上述したように照明光学系を、液晶表示パネルに対し単純に全体を傾けて配置した場合には、上述した如く、上記第１インテグレータ板、すなわち光源側のインテグレータ板の各レンズ素子が液晶表示パネルと相似形状をなしているため、液晶表示パネルに対し、インテグレータの光軸と液晶表示パネルの法線を含む面および上記第１インテグレータ板により形成される交線の延びる方向に照明領域が拡がってしまい、照明効率を低下させることになる。
【０００８】
さらに、最近、映像表示手段として、複数の微小鏡面素子を配列してなる微小鏡面素子パネル（ＤＭＤ）が注目されているが、この微小鏡面素子パネルは、そのパネルの法線に対して所定角度をもって斜めから光束を入射させることが必要とされており、したがって映像表示手段としてこのような微小鏡面素子パネルを用いた場合にも、上記液晶表示パネルを用いた場合と同様に照明効率の低下が問題となる。
【０００９】
本発明はこのような事情に鑑みなされたもので、インテグレータを用いた照明光学系からの光束を映像表示手段に対し、その法線に対して斜めから入射させた場合にも、該映像表示手段上での照明効率の低下を防止しうる照明光学系およびプロジェクタ装置を提供することを目的とするものである。
【００１０】
【課題を解決するための手段】
本発明の第１の照明光学系は、光源部と、該光源部から射出された光の光量均一化を図る、該光源部の光軸方向に配列された少なくとも２枚のインテグレータ板よりなるインテグレータ部と、入射光を映像情報に応じて変調する映像表示手段と前記インテグレータ部との間に配されたフィールドレンズと、を備え、前記映像表示手段を照明する照明光学系において、
前記光源部、前記インテグレータ部、および前記フィールドレンズの各光軸は、前記映像表示手段の長辺または短辺と平行な軸を回転軸として傾けるように設定され、かつ前記第１インテグレータ板の各素子の形状は、前記映像表示手段の有効領域と相似な形状に対して、その短辺または長辺の延びる方向に所定量だけ扁平とした形状とされてなることを特徴とするものである。
また、前記光源部、前記インテグレータ部、および前記フィールドレンズの各光軸は、前記映像表示手段の長辺と平行な軸および短辺と平行な軸をそれぞれ回転軸として傾けるように設定され、かつ前記第１インテグレータ板の各素子の形状は、前記映像表示手段の有効領域と相似な形状に対して、その短辺および長辺の延びる各々の方向への傾き角に応じた平行四辺形の形状とされてなる、としてもよい。
【００１１】
本発明の第２の照明光学系は、白色光を射出する光源部と、該白色光の光量均一化を図る、該光源部の光軸方向に配列された少なくとも２枚のインテグレータ板よりなるインテグレータ部と、該白色光を青、緑、赤の各色光に分解する色分解光学部を介して、該色光を映像情報に応じて変調する、各色光に対応して設けられた３つの映像表示手段と前記インテグレータ部との間に配されたフィールドレンズと、を備え、前記３つの映像表示手段を照明する照明光学系において、
前記光源部、前記インテグレータ部、および前記フィールドレンズの各光軸は、前記各映像表示手段の長辺または短辺と平行な軸を回転軸として傾けるように設定され、かつ前記第１インテグレータ板の各素子の形状は、前記各映像表示手段の有効領域と相似な形状に対して、その短辺または長辺の延びる方向に所定量だけ扁平とした形状とされてなることを特徴とするものである。
また、前記光源部、前記インテグレータ部、および前記フィールドレンズの各光軸は、前記映像表示手段の長辺と平行な軸および短辺と平行な軸をそれぞれ回転軸として傾けるように設定され、かつ前記第１インテグレータ板の各素子の形状は、前記各映像表示手段の有効領域と相似な形状に対して、その短辺および長辺の延びる各々の方向への傾き角に応じた平行四辺形の形状とされてなる、としてもよい。
【００１２】
また、前記インテグレータ部を構成する、少なくとも２枚のインテグレータ板を互いに同一の形状およびサイズとすれば、製造コストを低下できるので好ましい。
さらに、前記映像表示手段を液晶表示パネルあるいは微小鏡面素子パネルとすることが可能である。
【００１３】
また、本発明のプロジェクタ装置は、上述した照明光学系から射出され、前記映像表示手段を透過した光束を投影レンズによってスクリーン上に拡大投射するように構成されたことを特徴とするものである。
なお、上述した「相応するように」とは、映像表示手段上の照明領域の形状が映像表示手段（有効領域）と同一形状となる場合の他、種々の製造誤差に伴う余裕分を持たせるために該照明領域を誤映像表示手段の形状よりも若干大きめに形成する場合も含むものとする。
【００１４】
【発明の実施の形態】
以下、本発明の実施形態について図面を参照しつつ説明する。
図２は、本実施形態による投射型液晶プロジェクタ装置の構成を示す概略図である。
図２に示すように、本実施形態の投射型液晶プロジェクタ装置は、光源部１０と、この光源部１０から発せられた白色光束をミキシングして、光量分布の均一化を図るための、インテグレータ部１１と、インテグレータ部１１により均一光とされた光束にカラー画像情報を担持せしめてスクリーンに投射するための投射部１２とからなる。
【００１５】
上記光源部１０は、図１に示すごとく、キセノンランプやメタルハライドランプ等の放電管からなる発光体１０Ａと、放物面鏡よりなるリフレクタ１０Ｂとからなる。
すなわち、放物面鏡よりなるリフレクタ１０Ｂは、発光体１０Ａの発光源を焦点位置とするものであり、発光体１０Ａから発せられて光源部１０の光軸ＬOの後方および外方へ向かう光束の一部を該光軸ＬOに略平行な光束として反射させるものである。
【００１６】
インテグレータ部１１は、光源部１０からの光束に対して作用する第２フライアイ（第１インテグレータ板）１１Ａと、第２フライアイ１１Ａの各レンズ素子からの光束を、後述する液晶表示パネル上に重畳せしめる第１フライアイ（第２インテグレータ板）１１Ｂと、凸のフィールドレンズ１１Ｃとを備えてなる。
なお、上記２つのフライアイ１１Ａ、１１Ｂは微小なレンズ素子を規則的に配列したものであって、その各レンズ素子は液晶表示パネル２３Ｂ、２３Ｇ、２３Ｒの有効領域と相似形状に形成されている。
【００１７】
一方、投射部１２は、インテグレータ部１１により均一化された光束をＢ成分ＬＢとＧＲ成分ＬＧ、ＬＲとに分離するためのＢ／ＧＲ分離用ダイクロイックミラー２１と、ダイクロイックミラー２１により分離されたＧＲ成分ＬＧ、ＬＲを、Ｇ成分ＬＧと、Ｒ成分ＬＲとに分離するためのＧ／Ｒ分離用ダイクロイックミラー２２と、Ｂ成分用の画像が表示される液晶表示パネル２３Ｂと、Ｇ成分用の画像が表示される液晶表示パネル２３Ｇと、Ｒ成分用の画像が表示される液晶表示パネル２３Ｒと、各液晶表示パネル２３Ｂ、２３Ｇ、２３Ｒを透過して画像情報が担持された光束の成分ＬＢ、ＬＧ、ＬＲを合成する３色合成プリズム２４と、３色合成プリズム２４により合成された光束をスクリーン（図示せず）上に投射するための投影レンズ２５とを備えてなる。また、Ｂ／ＧＲ分離用ダイクロイックミラー２１により分離されたＢ成分ＬＢを液晶表示パネル２３Ｂに向けて反射する全反射ミラー２７と、全反射ミラー２７により反射されたＢ成分ＬＢを平行光とするためのフィールドレンズ２８Ｂと、Ｇ／Ｒ分離用ダイクロイックミラー２２により分離されたＧ成分ＬＧを平行光とするためのフィールドレンズ２８Ｇと、Ｇ／Ｒ分離用ダイクロイックミラー２２により分離されたＲ成分ＬＲを液晶表示パネル２３Ｒに向けて反射するための全反射ミラー２９、３０と、Ｇ／Ｒ分離用ダイクロイックミラー２２により分離されたＲ成分ＬＲを平行光とするためのフィールドレンズ２８Ｒとを備えてなる。
【００１８】
なお、上記投射型液晶プロジェクタ装置においては、３色合成プリズム２４に至るまでの光路長はＲ成分ＬＲのみが異なるが、Ｇ／Ｒ分離用ダイクロイックミラー２２と全反射ミラー２９との間にはフィールドレンズ３１が、全反射ミラー２９と全反射ミラー３０との間にはリレーレンズ３２がそれぞれ配設されており、このフィールドレンズ３１とリレーレンズ３２とにより、Ｒ成分ＬＲの結像関係がＢ成分ＬＢおよびＧ成分ＬＧと見かけ上同等となるように補正されるものである。
また、上記３色合成プリズム２４はクロスプリズムであり、Ｂ成分ＬＢに対して反射するダイクロイック面２４Ｂと、Ｒ成分ＬＲに対して反射するダイクロイック面２４Ｒとを有するものである。
【００１９】
ところで、投射型液晶プロジェクタ装置においては、液晶表示パネル２３Ｂ、２３Ｇ、２３Ｒを投影レンズ２５に対して、その光軸と垂直な方向にシフトして用いることが多く、従来、この投影レンズ２５の液晶表示パネル２３Ｂ、２３Ｇ、２３Ｒ側をテレセントリックな系とし、また、照明光学系においても光束が液晶表示パネル２３Ｂ、２３Ｇ、２３Ｒを透過した後にテレセントリックとなるような系とすることが一般的であったが、このようにテレセントリックな系とした場合には、上記投影レンズ２５として多くのレンズ枚数が必要とされ、また、各レンズの径も大きくなってしまう等という不都合が生じる。
【００２０】
そこで、本実施形態のものでは、図１に示すように（一部の光学部材は省略されている）、光源部１０、インテグレータ部１１およびフィールドレンズ２８からなる照明光学系全体を上下方向に傾け（左右方向には図２に示す如く傾いていない）、この光学系の光軸Ｘ1が液晶表示パネル２３（３つの液晶表示パネル２３Ｂ、２３Ｇ、２３Ｒを１枚の液晶表示パネルで代表させている）の法線に対して、所定の角度をなすようにし、照明光学系からの光束が液晶表示パネル２３を通過した後、その主光線が投影レンズ２５の光軸Ｘ2に対して非平行（非テレセントリック）で、この光軸Ｘ2に近づくようにして該投影レンズ２５に入射するように構成している。
【００２１】
これにより、投影レンズ２５は、レンズ枚数を削減したものとすることができ、また図示するようにテレセントリックな系とした場合のレンズサイズ（点線で示されている）よりもその径を小さなものとすることが可能となる。
一方、上述したようなインテグレータ部１１を用いた照明光学系では、このインテグレータ部１１や、その他の光学部材の製造誤差による影響を吸収するために、液晶表示パネル２３Ｂ、２３Ｇ、２３Ｒ上での照明領域を、この液晶表示パネル２３Ｂ、２３Ｇ、２３Ｒの有効領域の形状よりも若干余裕を持たせた大きさとすることが望ましいものの、その余裕分は最小限にとどめ、大きい照明効率を確保することが必要である。
【００２２】
ところが、本実施形態のものでは、上述したように、従来の照明光学系を液晶表示パネル２３の法線に対して所定角度傾ける簡易な構成としており、また、前述したように、各フライアイ１１Ａ、１１Ｂを構成する各レンズ素子が液晶表示パネル２３の有効領域と相似形状をなしているため、液晶表示パネル２３に対して、その照明領域が、インテグレータ部１１の光軸と液晶表示パネル２３の法線を含む面および液晶表示パネル２３により形成される交線の延びる方向に拡がってしまい、有効利用されない照明領域の割合が大きくなってしまうことから、その照明効率が大幅に低下してしまう。
【００２３】
すなわち、照明光学系を液晶表示パネル２３の法線に対して傾けない場合には、図３の左図に示すように、液晶表示パネル２３の有効領域ＲAよりも照明領域ＲB1が若干の余裕分だけ大きい形状とされているのに対し、本実施形態の如く、照明光学系を液晶表示パネル２３の法線に対して傾けるようにした場合には、図３の右図に示すように、液晶表示パネル２３の有効領域ＲAよりも照明領域ＲB2が紙面上下方向（インテグレータ部１１の光軸と液晶表示パネル２３の法線を含む面および液晶表示パネル２３により形成される交線の延びる方向）に大きく拡がって照明効率を低下させてしまう。
【００２４】
そこで、本実施形態のものでは、各フライアイ（インテグレータ板）１１Ａ、１１Ｂを構成する各レンズ素子の形状を、インテグレータ部１１の光軸と液晶表示パネル２３の法線を含む面および各フライアイ１１Ａ、１１Ｂにより形成される交線の延びる方向に調整して、液晶表示パネル２３への光束入射を斜めとした場合に、液晶表示パネル２３上での照明領域が、この液晶表示パネル２３の有効領域よりも若干の余裕分を有する程度の形状となるようにしている。
【００２５】
このことを、図４を用いて具体的に説明する。図４（ａ）は液晶表示パネル２３の有効領域の形状であり、図４（ｂ）は本実施形態のフライアイ１１Ａ、１１Ｂの形状を示すものである。上記照明光学系を、液晶表示パネル２３の長辺と平行な軸を回転軸として傾けた場合には、この図４（ｂ）に示すように、各フライアイ１１Ａ、１１Ｂの領域ＲC1を構成する各レンズ素子１１１Ａを、該液晶表示パネル２３の有効領域ＲAと相似な形状に対して、その短辺の延びる方向に所定量だけ扁平とした形状とすればよい。
【００２６】
また、上記照明光学系を、液晶表示パネル２３の長辺と平行な軸のみならず短辺と平行な軸をも回転軸として傾けて、該液晶表示パネル２３を照明するようにした場合には、図４（Ｃ）に示すように各フライアイ１１Ａ、１１Ｂの領域ＲC2を構成する各レンズ素子１１１Ｂを、各々の方向への傾き角に応じた平行四辺形の形状とすればよい。
【００２７】
また、このように各レンズ素子の形状を平行四辺形とした場合において、上述した光源部１０の光束断面形状（リフレクタ１０Ｂの形状による）が略円形をなしているため、図４（ｄ）に示すように、各レンズ素子１１１Ｃの形状は平行四辺形としつつ、その配列をその列あるいは行毎にずらして全体の領域ＲC3が、上記光束断面形状に近くなるようにして照明光の利用効率を低下させないような構成とすることが望ましい。
【００２８】
また、本発明の照明光学系は、液晶表示パネルを用いた投射型液晶プロジェクタ装置に適用する場合に限られるものではなく、その他の映像表示手段を用いた各種プロジェクタ装置に適用することができる。例えば、図５に示す如く、微小鏡面素子を配列してなる、いわゆるＤＭＤ（デジタル・ミラー・デバイス）を映像表示手段として用いたプロジェクタ装置にも適用することができる。
【００２９】
図５に示す装置においては、光源部２１０とインテグレータ部２１１からなる照明光学系をＤＭＤ２２３に対し上下、左右両方向に傾けて配置し、照明光Ｌ11を斜め方向からＤＭＤ２２３に照射し、このＤＭＤ２２３において映像信号により変調された光束Ｌ12を投影レンズ（図示せず）方向に反射せしめ、この後、この映像情報を担持した光束Ｌ12を、スクリーン（図示せず）上に拡大投射するように構成されている。
【００３０】
なお、上記光源部２１０は、発光体２１０Ａとリフレクタ２１０Ｂとから構成され、インテグレータ部２１１は２つのフライアイ（インテグレータ板）２１１Ａ、２１１Ｂと２つのフィールドレンズ２２８Ａ、２２８Ｂから構成されており、各フライアイ２１１Ａ、２１１Ｂを構成する各レンズ素子は図４（Ｃ）もしくは図４（ｄ）に示されるような形状および配列とされている。
【００３１】
なお、本発明の照明光学系およびこれを用いたプロジェクタ装置としては上述した実施形態のものに限られるものではなく、その他の種々の態様の変更が可能である。例えば、図２に示す投射型液晶プロジェクタ装置ではカラー画像を形成するために３板式の液晶表示パネルを搭載しているが、これに代えて単板式の液晶表示パネルを搭載するようにしてもよく、この場合には光源部からの光は単色光であってもよく、各色光の分離光学系および合成光学系は不要となる。
【００３２】
また、上述した各実施形態においては、２つのフライアイ（インテグレータ板）およびこのフライアイを構成するレンズ素子を同一形状のものとしており、これによりフライアイの製造コストを低下させることができるが、これら２つのフライアイ、およびこのフライアイを構成するレンズ素子は互いに同一のものとせずともよく、この場合には少なくとも最も光源側に位置するフライアイが上述した本発明の構成要件を満たしていればよい。
また、図１、２、５において示されたレンズ系の構成はあくまで説明のための例示であり、レンズの種類、枚数等はその状況に応じて適宜変更し得る。
【００３３】
【発明の効果】
以上説明したように、本発明の照明光学系によれば、照明光学系全体をその光軸が映像表示手段の法線方向に対して傾くように配置し、映像表示手段を斜めから照明するようにして、投影レンズの映像表示手段側を非テレセントリックな系となるように構成している。これにより、従来のものに比して別段の部材を追加することなく、投影レンズのレンズ枚数を削減でき、また各レンズを小径化することができ、装置のコンパクト化、低コスト化を図ることができる。
【００３４】
また、インテグレータ部から射出される光束が、映像表示手段に照射された際に、該光束による照明領域が、この映像表示手段の形状と相応するように、インテグレータ部の光軸と映像表示手段の法線を含む面、および光源部に近い第１インテグレータ板により形成される交線の延びる方向において、このインテグレータ板の各レンズ素子の形状を調整するようにしているので、映像表示手段上での照明領域を、この映像表示手段と略同等もしくは若干の余裕分を有する程度の形状とすることができ、この映像表示手段に対し上記照明光束を斜めに入射せしめた場合にも、照明の利用効率が低下するのを防止することができる。
【００３５】
また、上述した照明光学系を用いたプロジェクタ装置においても、同様の作用効果を得ることができ、従来のものに比して、大きな構成変更を要することなく、照明光の利用効率を低下させることなく、装置のコンパクト化、低コスト化を図ることができる。
【図面の簡単な説明】
【図１】本発明の実施形態に係る照明光学系を示す概略図
【図２】図１の照明光学系を用いた投射型液晶プロジェクタ装置を示す概略平面図
【図３】液晶表示パネル（映像表示パネル）の形状と照明領域との形状関係を説明するための図
【図４】図１に示すフライアイ（インテグレータ板）の構成を説明するための図
【図５】図１に示す実施形態とは別の実施形態に係る照明光学系を説明するための概略図
【符号の説明】
１０、２１０        光源部
１０Ａ、２１０Ａ    発光体
１０Ｂ、２１０Ｂ    リフレクタ
１１、２１１        インテグレータ部
１１Ａ、２１１Ａ    第２フライアイ（第１インテグレータ板）
１１Ｂ、２１１Ｂ    第１フライアイ（第２インテグレータ板）
１１Ｃ、２８Ｂ、２８Ｇ、２８Ｒ、
３１、２２８Ａ、２２８Ｂ  フィールドレンズ
１２              投射部
２３、２３Ｂ、２３Ｇ、２３Ｒ    液晶表示パネル
２４              ３色合成プリズム
２５              投影レンズ
１１１Ａ、１１１Ｂ、１１１Ｃ    レンズ素子
２２３            ＤＭＤ
ＲA               液晶表示パネル（映像表示パネル）の有効領域
ＲB1、ＲB2        照明領域
ＲC1、ＲC2、ＲC3  フライアイ（インテグレータ板）の領域
【図１】
0004033416.tif 000002
【図２】
0004033416.tif 000003
【図３】
0004033416.tif 000004
【図４】
0004033416.tif 000005
【図５】
0004033416.tif 000006